(57)【要約】【課題】筐体またはカバーが閉状態であっても、ユーザが新しいメールの存在に気付きやすく、メール受信中にユーザが筐体あるいはカバーを閉じることができる携帯端末を提供する。【解決手段】この携帯端末は、ユーザによって操作される操作部３を備えた第１の筐体と、ユーザによる操作結果を表示する表示部４を備え、第１の筐体に連結部を介して連結される第２の筐体とを具備する。サーバからメールリストを受信した場合、またはメール受信が終了した場合、検出部９は第１の筐体および第２の筐体の状態を検出する。検出部９によって、第１の筐体および第２の筐体が閉状態であると検出されたとき、制御部１０は表示部４、スピーカ６、またはバイブレータ７へユーザに対する通知指示を出力する。【選択図】図１
2008004108.tif 000002
【特許請求の範囲】
【請求項１】
ユーザによって操作される操作部を備えた第１の筐体と、
前記ユーザによる操作結果を表示する表示部を備え、
前記第１の筐体に連結部を介して連結される開閉可能な第２の筐体と、を具備し、
サーバ上のメールの中から前記ユーザによって選択されたメールを受信する携帯端末において、
前記サーバから送信されるメールリストを受信する受信手段と、
前記第１の筐体および前記第２の筐体の開閉状態を検出する検出手段と、
前記検出手段により前記第１の筐体および前記第２の筐体が閉状態であると検出された場合に、
前記受信手段によって前記メールリストが受信されたとき、前記ユーザに前記メールリストの受信を通知する通知手段と、
を具備し、
前記通知手段は、前記ユーザによって選択されたメールの受信が終了した時点において、前記ユーザにメール受信の終了を通知すること、
を特徴とする携帯端末。
【請求項２】
ユーザによって操作される操作部および前記ユーザによる操作結果を表示する表示部を備えた筐体と、
該筐体に連結され、該筐体の一部を覆うことができる開閉可能なカバーと、を具備し、
サーバ上のメールの中から前記ユーザによって選択されたメールを受信する携帯端末において、
前記サーバから送信されるメールリストを受信する受信手段と、
前記カバーの開閉状態を検出する検出手段と、
前記検出手段により前記カバーが閉状態であると検出された場合に、
前記受信手段によって前記メールリストが受信されたとき、前記ユーザにメールリストの受信を通知する通知手段と、
を具備し、
前記通知手段は、前記ユーザによって選択されたメールの受信が終了した時点において、前記ユーザにメール受信の終了を通知すること、
を特徴とする携帯端末。
【請求項３】
メール受信中に前記検出手段によって閉状態であると検出された場合に、メール受信を継続する制御手段をさらに具備することを特徴とする請求項１または請求項２に記載の携帯端末。
【発明の詳細な説明】
【技術分野】
【０００１】
この発明は、操作部を備えた第１の筐体と、表示部を備え、第１の筐体に連結部を介して連結された第２の筐体とを具備する携帯端末、あるいは操作部および表示部を備えた筐体と、この筐体に連結され、この筐体の一部を覆うことのできるカバーとを具備する携帯端末であって、サーバ上のメールの中からユーザによって選択されたメールを受信する選択メール受信動作を行う携帯端末に関する。
【背景技術】
【０００２】
第１の筐体と、この第１の筐体に連結部を介して接続された第２の筐体とを具備し、この第１の筐体と第２の筐体とが重なるように折り畳むことが可能な携帯端末がある（以下、折畳型携帯端末と称する）。通常、第１および第２の筐体のうち一方の筐体はユーザによって操作される操作部を具備し、他方の筐体は、操作部と対向する面に設けられた液晶パネルなどの表示パネルと、他方の面に設けられたＬＥＤなどの表示用ランプとを具備する。
【０００３】
図４はこのような携帯端末の構成を示す外観図であり、（ａ）は前面図、（ｂ）は側面図、（ｃ）は背面図である。図において、１は送受信用のアンテナである。５はマイクであり、ユーザの音声が入力される。６はスピーカであり、着信時などにユーザへ報知を行うための楽音を発生する。７は振動を発生するバイブモータである。９は筐体の開閉を検出する検出部である。２１は受話スピーカであり、通話相手の音声を発生する。２２は文字や図形などを表示する液晶パネルである。２３は機能ボタンであり、入力モード切り替え機能、リダイヤル機能、文字入力中の文字クリア機能などの機能を有する。２４は４方向ボタンであり、ユーザが液晶パネル２２に表示された複数の情報の中からある情報を選択する場合などに押下される。２５は通話ボタンであり、ユーザが着信を検知して通話を開始する場合に押下される。２６は電源ボタンであり、ユーザが携帯端末のオン／オフを切り替える時に押下される。２７はダイヤルボタンであり、ユーザが文字や数字などを入力する時に押下される。２８は表示ランプであり、ユーザに携帯端末の様々な状態を通知する。この表示ランプには、着信用、メール着信用、充電用などの複数の表示ランプがある。さらに、表示ランプ２８が設けられた筐体の背面にも液晶パネルが設けられている携帯端末もある。
【０００４】
上述した携帯端末においては、液晶パネル２２が設けられた筐体が、図４（ｂ）のように、点線で示される状態となる開状態と、ダイヤルボタン２７が設けられる筐体と折り重なり密接する閉状態とを有する。ユーザは通話やメール受信を行う場合に筐体を開いて操作することができ、携帯端末を使用しない場合には筐体を折り畳んで衣服のポケットなどに入れることができる。
【０００５】
また、２つの筐体を連結する連結部を通り筐体の厚さ方向に伸びる回転軸を中心として一方の筐体が他方に対して回転することにより開閉する携帯端末もある。さらに、操作部および表示部が共に設けられた筐体と、操作部を覆うカバーとを具備し、ユーザによるカバーの開閉が可能な携帯端末もある。
【０００６】
上述したような携帯端末の中で、ユーザの操作によってサーバにアクセスし、サーバ上のメールの中からユーザによって選択されたメールを受信する選択メール受信機能を有する携帯端末がある。ユーザはこの携帯端末に対して、サーバが受信するメールの全てを自動的に携帯端末が受信する一括メール受信を行う設定とすることもできるし、選択メール受信を行う設定とすることもできる。携帯端末のメール受信動作の設定が、選択メール受信に設定されている場合のメール受信動作は以下の通りである。まず、新しいメールを受信したサーバから送信されるメールリストを受信した携帯端末は、筐体またはカバーが開状態であれば、新しいメールのリストがサーバから届いた旨のメッセージを表示部に表示する。これを確認したユーザの操作によって携帯端末はサーバにアクセスし、サーバ上のメールの中から受信するメールがユーザによって選択されると、それらのメールの受信を開始する。
【０００７】
なお、特許文献１には、上述した折畳型携帯端末や、操作部と表示部が設けられた筐体および操作部を覆うカバーを具備する携帯端末において、受信した電子メールに未読メールがある場合、特別なキー操作を行わなくても蓋部材を開けると直ちに未読メールの内容や名称一覧を表示することが記載されている。
【特許文献１】特開２００２−３６６４８５号公報
【発明の開示】
【発明が解決しようとする課題】
【０００８】
しかし、上述したような携帯端末は、新しいメールを受信したサーバから送信されるメールリストを受信しても、筐体またはカバーが閉状態の場合には、ユーザが操作を行わないと判断し、ユーザに対してメールリストを受信した旨の通知を行わなかった。したがって、ユーザは筐体またはカバーが閉状態の場合には、新しいメールの存在に気付きにくかった。
【０００９】
また、メール受信動作を開始した携帯端末は、メール受信動作中にユーザによって筐体あるいはカバーが閉じられるとメール受信動作を停止していた。したがって、ユーザはサーバ上のメールを選択して受信する場合に、携帯端末のメール受信動作が終了するまで筐体あるいはカバーを閉じることができず、携帯端末から注意を外すことができなかった。
【００１０】
本発明は、上述した問題点に鑑みてなされたものであって、筐体またはカバーが閉じられた状態であっても、ユーザが新しいメールの存在に気付くことができる携帯端末を提供することを第１の目的とする。また、メール受信中にユーザが筐体あるいはカバーを閉じることができる携帯端末を提供することを第２の目的とする。
【課題を解決するための手段】
【００１１】
本発明は上記の課題を解決するためになされたもので、請求項１に記載の発明は、ユーザによって操作される操作部を備えた第１の筐体と、前記ユーザによる操作結果を表示する表示部を備え、前記第１の筐体に連結部を介して連結される開閉可能な第２の筐体とを具備し、サーバ上のメールの中から前記ユーザによって選択されたメールを受信する携帯端末において、前記サーバから送信されるメールリストを受信する受信手段と、前記第１の筐体および前記第２の筐体の開閉状態を検出する検出手段と、前記検出手段により前記第１の筐体および前記第２の筐体が閉状態であると検出された場合に、前記受信手段によって前記メールリストが受信されたとき、前記ユーザに前記メールリストの受信を通知する通知手段とを具備し、前記通知手段は、前記ユーザによって選択されたメールの受信が終了した時点において、前記ユーザにメール受信の終了を通知することを特徴とする。
【００１２】
請求項２に記載の発明は、ユーザによって操作される操作部および前記ユーザによる操作結果を表示する表示部を備えた筐体と、該筐体に連結され、該筐体の一部を覆うことができる開閉可能なカバーとを具備し、サーバ上のメールの中から前記ユーザによって選択されたメールを受信する携帯端末において、前記サーバから送信されるメールリストを受信する受信手段と、前記カバーの開閉状態を検出する検出手段と、前記検出手段により前記カバーが閉状態であると検出された場合に、前記受信手段によって前記メールリストが受信されたとき、前記ユーザにメールリストの受信を通知する通知手段とを具備し、前記通知手段は、前記ユーザによって選択されたメールの受信が終了した時点において、前記ユーザにメール受信の終了を通知することを特徴とする。
【００１３】
請求項３に記載の発明は、請求項１または請求項２に記載の携帯端末において、メール受信中に前記検出手段によって閉状態であると検出された場合に、メール受信を継続する制御手段をさらに具備することを特徴とする。
【発明の効果】
【００１４】
以上のように、この発明によれば、筐体あるいはカバーが閉状態でサーバからメール受信の通知があった場合に、表示部への文字などの表示、筐体の背面に設けられた表示ランプの点灯あるいは点滅、スピーカからの楽音の発生、バイブレータからの振動の発生のいずれかが行われるため、ユーザが新しいメールの存在に気付きやすいという効果が得られる。
【００１５】
また、ユーザによって選択されたメールの受信が開始された後、ユーザが筐体あるいはカバーを閉じてもメール受信が継続されるようにしたため、ユーザがメール受信の終了を待たずに筐体あるいはカバーを閉じることができ、携帯端末から注意を外すことができるという効果が得られる。
【００１６】
したがって、ユーザは、待受け時またはメール受信中に筐体あるいはカバーが閉じられたままの状態で携帯端末を衣服の胸ポケットやカバンの中などにしまっておくことができる。
【発明を実施するための最良の形態】
【００１７】
以下、図面を参照し、この発明の一実施の形態について説明する。本実施の形態においては、２つの筐体を具備し、ユーザによる筐体の開閉が可能な折畳型携帯端末を例として説明する。図１は、この発明の実施の形態による携帯端末の構成を示すブロック図である。図において、１は送受信用のアンテナである。２は通信部であり、送受信データの処理を行う。３はユーザによって操作される操作部であり、文字入力などに使用するテンキーや電源のオン／オフの切替、通話の開始・終了指示、文字入力時の入力モード切替などの機能を有する機能キーなどを具備する。４は表示部であり、筐体前面および筐体背面に設けられる２つの液晶パネルと、筐体背面に設けられる表示用ランプとを具備する。５はマイクであり、ユーザの音声が入力される。６はスピーカであり、制御部１０から出力される楽音信号に基づいて楽音を発生する。７はバイブレータであり、内蔵するバイブレータモータの駆動により振動を発生する。
【００１８】
８はメモリ部であり、携帯端末がユーザに対してメールリスト受信後にメール選択動作のタイミングの通知を行うかどうか、およびユーザに対してメール受信終了の通知を行うかどうかを示す通知設定情報と、通知を行う場合に表示部４、スピーカ６、バイブレータ７のいずれの通知手段を用いて通知を行うかを示す通知手段情報と、スピーカ６が発生する楽音に関する楽音データとを記憶する。ユーザは、通知に関する設定およびスピーカ６が発生する楽音の設定を予め行うことができる。９は検出部であり、筐体が開状態であるか閉状態であるかを検出する。１０は各部を制御する制御部である。１１は電源部であり、上記各部に駆動用の電力を供給する。
【００１９】
次に、上記構成の携帯端末の動作を図２および図３のフローチャートを用いて説明する。図２は携帯端末が動作を開始してからメール受信を開始するまでの動作を示しており、図３は携帯端末がメール受信を開始してからメール受信が終了し、通信切断処理を行うまでの動作を示している。
【００２０】
動作開始後、通信部２はサーバから送信されるメールリストをアンテナ１を介して受信し、制御部１０へ出力する（ステップＳ１０）。制御部１０はメモリ部８から通知設定情報を読み出し、ユーザに対して通知が必要かどうか判定する（ステップＳ２０）。ユーザに対する通知が必要でなければ、携帯端末はユーザに対する通知を行わない。一方、ユーザに対する通知が必要であれば、制御部１０は検出部９へ筐体の状態の検出を指示し、指示を受けた検出部９は筐体の状態を検出し、検出結果を制御部１０へ出力する。制御部１０はこの検出結果に基づき、筐体が閉状態であるかどうかを判定する（ステップＳ３０）。
【００２１】
筐体が閉状態であった場合、制御部１０はメモリ部８から通知手段情報を読み出し、通知手段の設定を参照する。通知手段が表示部４に設定されている場合には、制御部１０は表示部４へ通知指示を出力し、これを受けた表示部４は筐体背面の液晶パネルにメールリストを受信した旨のメッセージを表示するか、表示用ランプを点灯または点滅させる。通知手段がスピーカ６に設定されている場合には、制御部１０はメモリ部８から楽音データを読み出し、楽音信号に変換してスピーカ６へ出力する。スピーカ６はこの楽音信号に基づいた楽音を発生する。通知手段がバイブレータ７に設定されている場合には、制御部１０はバイブレータ７へ通知指示を出力し、この指示を受けたバイブレータ７は振動を発生する（ステップＳ４０）。以上により、ユーザは携帯端末がメールリストを受信したことを通知される。
【００２２】
続いて、この通知を感知したユーザによって筐体が開かれる。このとき、検出部９は筐体が開状態となったことを検出し、制御部１０に検出結果を出力する。
【００２３】
制御部１０はこの検出結果によって筐体が開状態となったことを通知される（ステップＳ５０）。一方、ステップＳ３０において筐体が開状態であった場合、制御部１０はユーザに対する通知指示を表示部４へ出力し、この指示を受けた表示部４は筐体前面の液晶パネルに、メールリストを受信した旨のメッセージを表示する（ステップＳ４１）。
【００２４】
続いて制御部１０は、ユーザに対する選択動作指示のメッセージを表示部４へ出力し、これを受けた表示部４は筐体前面の表示パネルに、ユーザに対してメール選択動作を促す旨のメッセージを出力する。このメッセージを確認したユーザによって操作部３が操作されると、操作部３は制御部１０へユーザによる操作を検出したことを通知する。通知を受けた制御部１０は受信したメールリストの情報を表示部４へ出力し、これを受けた表示部４は筐体前面の液晶パネルに受信可能なメールの一覧を表示する。ユーザは表示された受信可能なメールの中から一つ、あるいは複数のメールを選択することができる。ユーザによって受信するメールが操作部３の操作により選択されると、操作部３は制御部１０へユーザによるメール選択の結果を出力する（ステップＳ６０）。
【００２５】
この結果を受けた制御部１０は通信部２へサーバとの回線の接続を指示し、通信部２が発呼処理を行うことにより、携帯端末およびサーバを接続する回線が確立され、通信が開始される。制御部１０は無線部２へユーザによるメール選択の結果を出力し、これを受けた無線部２はアンテナ１を介してこの結果をサーバに送信する。するとサーバからユーザによって選択されたメールが送信され、通信部２はこのメールをアンテナ１を介して受信する（ステップＳ７０）。このとき、制御部１０は携帯端末がメール受信中であることを携帯端末の通信状態に関する情報としてメモリ部８に格納する。メール受信中にユーザによって筐体が閉じられた場合には、検出部９は筐体が閉状態となったことを制御部１０に通知する。制御部１０はメモリ部８に格納されている携帯端末の通信状態（通話／メール受信）に関する情報を読み出して参照し、現在メール受信が行われている場合はメール受信を継続する。
【００２６】
次に、メール受信動作を行ってからメール受信を終了して通信切断処理を行うまでの動作を図３により説明する。メール受信が終了すると、通信部２はメール受信の終了を制御部１０へ通知する（ステップＳ８０）。メール受信の終了を通知された制御部１０は検出部９へ筐体の状態の検出指示を出力し、この指示を受けた検出部９は筐体の状態を検出し、検出結果を制御部１０へ出力する。制御部１０はこの検出結果に基づき、筐体が閉状態であるかどうかを判定する（ステップＳ９０）。筐体が閉状態であった場合、制御部１０はメモリ部８から通知設定情報を読み出し、ユーザに対して通知が必要かどうか判定する（ステップＳ１００）。
【００２７】
ユーザに対する通知が必要な場合、制御部１０はメモリ部８から通知手段情報を読み出し、通知手段の設定を参照する。通知手段が表示部４に設定されている場合には、制御部１０は表示部４へ通知指示を出力し、これを受けた表示部４は筐体背面の液晶パネルにメール受信が終了した旨のメッセージを表示するか、表示用ランプを点灯または点滅させる。通知手段がスピーカ６に設定されている場合には、制御部１０はメモリ部８から楽音データを読み出し、楽音信号に変換してスピーカ６へ出力する。スピーカ６はこの楽音信号に基づいた楽音を発生する。通知手段がバイブレータ７に設定されている場合には、制御部１０はバイブレータ７へ通知指示を出力し、この指示を受けたバイブレータ７は振動を発生する（ステップＳ１１０）。これにより、ユーザはメール受信が終了したことを通知される。続いて、この通知を感知したユーザによって筐体が開かれる。このとき、検出部９は筐体が開状態となったことを検出し、制御部１０に検出結果を出力する。制御部１０はこの検出結果によって筐体が開状態となったことを通知される（ステップＳ１２０）。
【００２８】
一方、ステップＳ９０において、筐体が開状態であった場合、制御部１０はメモリ部８から通知設定情報を読み出し、ユーザに対して通知が必要かどうか判定する（ステップＳ１０１）。ユーザに対する通知が必要でなければ、携帯端末はユーザに対する通知を行わない。一方、ユーザに対する通知が必要であれば、制御部１０は表示部４へ通知指示を出力し、指示を受けた表示部４は筐体前面の液晶パネルにメールリストを受信した旨のメッセージを表示する。（ステップＳ１１１）
メール受信が終了すると、制御部１０はサーバから受信したメールのリストと、その中からユーザによって選択されたメールのリストとを比較し、サーバ上のメールを全て受信したかどうかを判定する（ステップＳ１３０）。判定の結果、全てのメールを受信したと判定した場合には、制御部１０は通信部２へ通信切断命令を出力し、これを受けた通信部２は基地局へ制御信号を送信し、回線の切断を行う。このとき、制御部１０からの指令を受け、表示部４はメール受信が終了した旨のメッセージを筐体前面の液晶パネルに表示する（ステップＳ１４０）。
【００２９】
一方、ステップＳ１３０において、サーバ上にメールが残っていると判定された場合には、ステップＳ１０へ戻り、再びサーバからメールリストを受信する。
【００３０】
上述した動作の間、ユーザによって操作部３に設けられた回線切断用の特定のキーが押下された場合には、メール受信中であっても、回線が切断され、メール受信が中止される。これにより、ユーザがメール受信中に特定の相手と通話を行う必要が生じた場合でも、特定の相手にメールを送信する必要が生じた場合でも、ユーザはメール受信を停止し、サーバとの通信を停止することができる。
【００３１】
なお、ステップＳ４０、ステップＳ１１０においてユーザに対する通知を行う場合、制御部１０のタイマ機能により、通知を開始してから所定の時間が経過したら、制御部１０が表示部４またはスピーカ６またはバイブレータ７へ通知の停止を指示し、これを受けた各部が通知を停止するように設定されていてもよい。
【００３２】
これにより、ユーザが携帯端末の近くにいない場合であっても、ユーザに対する通知が継続されることによる無用な消費電力を低減することができる。
【００３３】
なお、ステップＳ４１およびステップＳ１１１において、筐体が開状態の場合においても、表示部４が筐体背面の液晶パネルにメールリストを受信した旨のメッセージを表示したり、表示用ランプを点灯あるいは点滅させたり、スピーカ６が楽音を発生したり、バイブレータ７が振動を発生したりするように設定されていてもよい。これにより、ユーザは筐体が開状態のままであっても、筐体から注意を外すことができる。
【００３４】
本実施形態においては折畳型携帯端末を例として説明したが、前述したような、２つの筐体を連結する連結部を通り筐体の厚さ方向に伸びる回転軸を中心として一方の筐体が他方に対して回転することにより開閉する携帯端末や、操作部および表示部が共に設けられた筐体と、操作部を覆うカバーとを具備し、ユーザによるカバーの開閉が可能な携帯端末においても同様の動作が可能である。
【図面の簡単な説明】
【００３５】
【図１】本発明の一実施の形態による携帯端末の構成を示すブロック図である。
【図２】同実施の形態における携帯端末のメール受信開始までの動作を示すフローチャートである。
【図３】同実施の形態における携帯端末のメール受信終了から通信切断処理までの動作を示すフローチャートである。
【図４】従来の携帯端末の構成を示す外観図である。
【符号の説明】
【００３６】
１・・・アンテナ、２・・・通信部、３・・・操作部、４・・・表示部、５・・・マイク、６・・・スピーカ、７・・・バイブレータ、８・・・メモリ部、９・・・検出部、１０・・・制御部、１１・・・電源部、２１・・・受話スピーカ、２２・・・液晶パネル、２３・・・機能ボタン、２４・・・４方向ボタン、２５・・・通話ボタン、２６・・・電源ボタン、２７・・・ダイヤルボタン、２８・・・表示ランプ
【図１】
2008004108.tif 000003
【図２】
2008004108.tif 000004
【図３】
2008004108.tif 000005
【図４】
2008004108.tif 000006